(57)【要約】【課題】活性汚泥中の種々のタイプの糸状性細菌および放線菌に対して殺菌効果を有する殺菌剤を提供し、また該殺菌剤を使用して、活性汚泥中の微生物に悪影響を与えることなくバルキング及び又はスカムを解消する方法を提供することを目的とする。【解決手段】イミダゾール化合物、ジアルキルアミン及びエピハロヒドリンを反応させて得られる重合体であって、該重合体の主鎖中にイミダゾリウムカチオン及びアンモニウムカチオンを有する陽イオン性反応生成物を有効成分とする殺菌剤を、活性汚泥に接触させる。【選択図】  なし【特許請求の範囲】
【請求項１】
イミダゾール化合物、ジアルキルアミン及びエピハロヒドリンを反応させて得られる重合体であって、該重合体の主鎖中にイミダゾリウムカチオン及びアンモニウムカチオンを有する陽イオン性反応生成物を有効成分とする殺菌剤。
【請求項２】
請求項１記載の殺菌剤を活性汚泥に接触させることを特徴とする活性汚泥のバルキング解消方法。
【請求項３】
請求項１記載の殺菌剤を活性汚泥に接触させることを特徴とする活性汚泥のスカム解消方法。
【発明の詳細な説明】
【０００１】
【発明の属する技術分野】
本発明は、廃水処理装置の活性汚泥中に発生する糸状性細菌や放線菌の殺滅に好適な殺菌剤及び該殺菌剤を活性汚泥に接触させることを特徴とする活性汚泥のバルキングならびにスカムの解消方法に関するものである。
【０００２】
【従来の技術】
下水、し尿や有機性物質を含む汚水等の廃水の処理方法として、活性汚泥法が広く採用されている。この方法は廃水と活性汚泥とを接触させて汚水を浄化する曝気工程と、処理水と活性汚泥を分離する工程から成っているが、それらの工程において活性汚泥が膨化するという現象が頻繁に発生する。
この活性汚泥の膨化は、活性汚泥中の糸状性細菌が異常繁殖することによって引き起こされるものであり、所謂バルキングと呼ばれている。そして、このようなバルキングが発生した場合には、活性汚泥がフロック（集団）を形成せず、沈降性が低下するので、沈殿槽での処理水と汚泥の分離が円滑に行えなくなり、活性汚泥が処理水と共に溢流して、放流水の水質汚染が発生するばかりか、更には廃水処理の実施自体が困難になる恐れがあった。
【０００３】
また活性汚泥中に放線菌が発生すると、放線菌の代謝産物であるミコール酸によって粘性の気泡が発生し、この気泡が活性汚泥に付着することにより、沈殿槽中の活性汚泥が沈降せず、水面に浮上してスカムと呼ばれる層を形成する。そして、このような状態においてもバルキングの場合と同様に、処理水と活性汚泥の分離が困難になるという問題があった。
【０００４】
バルキングを抑制する方法として、曝気槽の前段に小規模の曝気槽を配する方法（特許文献１）が提案されている。また、放線菌によるスカムを解消する方法として、曝気槽にスカム破砕装置を導入する方法が提案されている。しかしながら、これらの方法は新たな処理設備を設置する必要があり、多大な費用を要するものであった。
【０００５】
活性汚泥の沈降を促進させる方法としては、ベントナイト、クリストバライト等を添加する方法（特許文献２）、あるいは塩化第二鉄、ポリ塩化アルミニウム及びカチオン系高分子等の凝集剤を添加する方法が知られている。しかしながら、これらの方法も一時的な沈降性の改善効果は期待できるものの、糸状性細菌を殺滅する訳ではないので根本的な解決方法とは言い難いものであった。
【０００６】
活性汚泥のバルキング防止剤として、ジアルキルアミンとエピハロヒドリンとの反応によって得られる水溶性陽イオン重合体や（特許文献３）、ジアルキルアミン、アンモニア及びエピハロヒドリンとの反応によって得られる水溶性陽イオン重合体が提案されている（特許文献４）。
また、イミダゾール化合物とエピハロヒドリンを反応させて得られる陽イオン性反応生成物が提案されている（特許文献５）。
しかしながら、これらの殺菌剤は何れも糸状性細菌の種類によってその殺菌効果に差があるため、どのような廃水処理施設にも適応できるものとは言い難いものであった。
【０００７】
また、殺菌剤としてパラヒドロキシ安息香酸エステル（特許文献６）、インダゾール誘導体（特許文献７）、ピリジントリフェニルボラン（特許文献８）等も提案されているが、薬剤コストが高価であったり、排水規制により使用できない等の問題点があった。
【０００８】
前記以外のバルキングを解消する方法としては、塩素ガス、次亜塩素酸ナトリウム、過酸化水素あるいはオゾンを添加する方法も知られている。しかしながら、塩素ガスは毒性が強く取り扱いに注意を要し、次亜塩素酸ナトリウム、過酸化水素及びオゾン等は有効成分の安定性に問題があり、且つこれらの殺菌剤は、活性汚泥中の有用な微生物をも殺滅する恐れがあるので使用量の制御が難しく、一般的に普及するには至っていない。
【０００９】
【特許文献１】
特開２００１−２９９８０号公報（第２〜３頁）
【００１０】
【特許文献２】
特開昭６０−１７５５９９号公報（第２頁）
【００１１】
【特許文献３】
特公平３−５６１１８号公報（第２〜３頁）
【００１２】
【特許文献４】
特公平３−５６１１９号公報（第２〜３頁）
【００１３】
【特許文献５】
特公平６−８８８８９号公報（第２〜３頁）
【００１４】
【特許文献６】
特許３２９４１９６号公報（第２〜３頁）
【００１５】
【特許文献７】
特開平９−１５５３７６号公報（第２〜３頁）
【００１６】
【特許文献８】
特開平１１−１２３３９３号公報（第２頁）
【００１７】
【発明が解決しようとする課題】
本発明は斯かる問題点を鑑みてなされたものであって、活性汚泥中の種々のタイプの糸状性細菌及び放線菌に対して殺菌効果を有する殺菌剤を提供し、また該殺菌剤を使用して、活性汚泥中の有用な微生物に悪影響を与えることなく、活性汚泥のバルキング及びスカムを解消する方法を提供することを目的とする。
【００１８】
【課題を解決するための手段】
本発明者等は、前記の課題を解決すべく鋭意試験研究を行った結果、イミダゾール化合物、ジアルキルアミン及びエピハロヒドリンを反応させて得られる重合体であって、該重合体の主鎖中にイミダゾリウムカチオン及びアンモニウムカチオンを有する陽イオン性反応生成物を有効成分とする殺菌剤を、活性汚泥に接触させることにより、所期の目的を達成することを見い出し本発明を完遂するに至ったものである。
【００１９】
【発明の実施の形態】
本発明の殺菌剤は、イミダゾール化合物及びジアルキルアミンと適量の水を還流装置を備えた反応容器中に入れ、反応液を６０℃〜環流温度の範囲に温調して攪拌しながら、エピハロヒドリンをこの反応容器内に滴下して１〜２時間反応させることにより調製することができる。
この場合、イミダゾール化合物１モルに対し、ジアルキルアミンの使用量が０．０１〜０．５モル、またエピハロヒドリンの使用量は、１．０１〜１．５モルの範囲が好適である。なお使用する水の量は、原料であるイミダゾール化合物の種類に応じて異なるが、通常イミダゾール化合物の２〜５倍量（重量比）が好ましい。
なお、本発明の殺菌剤に含有する有効成分は、分析データより化１の一般式で示されるイミダゾリウムカチオン及びアンモニウムカチオンを有する陽イオン性反応生成物であると推定される。
【００２０】
【化１】
2004217565.tif 000002
（但し、Ｒ１は水素原子、炭素数１〜１７のアルキル基及びフェニル基、Ｒ２及びＲ３は水素原子、メチル基、ヒドロキシメチル基、カルボキシル基、ジチオカルボキシル基及びアルデヒド基、Ｒ４及びＲ５はメチル基、エチル基、プロピル基、ブチル基、ペンチル基及びヘキシル基、Ｘはハロゲン原子を表す。ｍ及びｎは正の整数値であって、ｍ：ｎ＝２〜１００：１。ｌは重合度を表す。）
【００２１】
イミダゾール化合物、ジアルキルアミン及びエピハロヒドリンとの反応においては、エピハロヒドリンを滴下するに従って、スラリー状の反応液が徐々に透明となり、また粘度が高くなる。所定量のエピハロヒドリンを滴下した後も、約１時間に渡って粘度上昇が継続する。従って反応時間は、エピハロヒドリンの滴下終了後約２時間とすれば十分である。
【００２２】
本発明の殺菌剤を調製する際に使用される代表的なイミダゾール化合物としては、イミダゾール、２−メチルイミダゾール、２−エチルイミダゾール、２−ウンデシルイミダゾール、２−ヘプタデシルイミダゾール、２−フェニルイミダゾール、２−エチル−４−メチルイミダゾール、２−フェニル−４−メチルイミダゾール、２，４−ジメチルイミダゾール−５−ジチオカルボン酸、２−メチルイミダゾール−５−ジチオカルボン酸、２，４−ジメチルイミダゾール−５−カルボン酸、２−メチルイミダゾール−５−カルボン酸、２，４−ジメチルイミダゾール−５−アルデヒド、２−メチルイミダゾール−５−アルデヒド、４−メチル−５−ヒドロキシメチルイミダゾール、４，５−ジヒドロキシメチルイミダゾール等が挙げられ、これらから選ばれる一種あるいは二種以上を併用することができる。
【００２３】
また、本発明に使用される代表的なジアルキルアミンとしては、ジメチルアミン、ジエチルアミン、ジプロピルアミン、ジブチルアミン、ジペンチルアミン、ジヘキシルアミン、エチルメチルアミン、メチルプロピルアミン、エチルプロピルアミン等が挙げられ、これらから選ばれる一種あるいは二種以上を併用してもよい。
【００２４】
またエピハロヒドリンとしては、ハロゲン原子がフッ素、塩素、臭素あるいはヨウ素である化合物が挙げられるが、薬剤コストの点において、エピクロロヒドリンが好適である。
【００２５】
本発明の殺菌剤を活性汚泥を含有する廃水に添加し、次いで濾過することにより活性汚泥と濾液に分離して該濾液を定量分析したところ、イミダゾール環は検出されなかった。即ち、本発明の殺菌剤は活性汚泥に吸着されているものと思われ、該殺菌剤を活性汚泥と接触させた場合には、放流水と共に系外に放出されることがなく、活性汚泥を余剰汚泥として系外に抜き取る場合以外には、殺菌剤が一定量の濃度で系内で循環されているので、殺菌剤の効果を長期間に渡って持続させることができる。
【００２６】
活性汚泥のバルキングを解消するためには、本発明の殺菌剤をバルキングが発生している廃水に添加すればよく、より有効に作用させる為には、活性汚泥の濃度が高くなっている返送汚泥ラインに添加するのが好ましい。その際の殺菌剤の添加量は、糸状性細菌の繁殖状況により異なるが、通常は活性汚泥が滞留している曝気槽と沈殿槽を併せた容量に対して、５０〜４００ｍｇ／Ｌの割合が好適である。
【００２７】
活性汚泥に繁殖した糸状性細菌に対する殺菌効果は、本発明の殺菌剤を添加した後３０分〜１時間で表れて、鞘の中に規則正しく収まっている糸状性細菌の細胞が破壊される様子を観察することができ、更に時間が経過すれば鞘が各所で切断され細かな断片として遊離するのが観察できる。糸状性細菌が殺滅されバルキングが解消されるにつれて、活性汚泥の沈降性を示す汚泥指標値（ＳｌｕｄｇｅＶｏｌｕｍｅ  Ｉｎｄｅｘ、以下ＳＶＩ値という）が下がり、活性汚泥は沈降性の良い正常な状態となる。
【００２８】
活性汚泥のスカムを解消するためには、本発明の殺菌剤をスカムが発生している廃水に添加すればよく、より有効に作用させるには活性汚泥の濃度が高くなっている返送汚泥ラインに添加するのが好ましい。その際の殺菌剤の添加量は、放線菌の繁殖状況により異なるが、通常は活性汚泥が滞留している曝気槽と沈殿槽を併せた容量に対して、１００〜４００ｍｇ／Ｌの割合が好適である。
【００２９】
活性汚泥に繁殖した放線菌に対する殺菌効果は、本発明の殺菌剤を添加した後３０分〜１時間で表れて、更に時間が経過すれば鞘が各所で切断され細かな断片として遊離するのが観察できる。放線菌が殺滅されるにつれて、浮上しているスカムも殺菌剤を添加して約１日後から減少するのが観察され、１週間経過するとスカムが大幅に減少する。そして、活性汚泥の沈降性を示すＳＶＩ値が下がり、活性汚泥は沈降性の良い正常な状態となる。
【００３０】
【作用】
糸状性細菌は、その核となる鞘内細胞が鞘皮によって覆われており、一般の微生物に比べて外的な影響を受けにくいものであり、また鞘内細胞は鞘皮が破壊され外部に遊離した状態でも活発に活動し糸状体の再形成を行うので、糸状性細菌を駆逐するには核となる鞘内細胞を死滅させる必要がある。
また本発明の殺菌剤の殺菌効果は、該殺菌剤の有効成分である陽イオン性反応生成物の重合体主鎖中に存在するイミダゾリウムカチオンとアンモニウムカチオンに起因するものと考えられるが、種々のタイプの糸状性細菌や放線菌に対して優れた殺菌効果が得られる理由については明らかでない。
【００３１】
【実施例】
以下、本発明を実施例および比較例によって具体的に説明するが、本発明はこれらに限定されるものではない。
なお、実施例及び比較例で使用した原料ならびに省略記号は次のとおりである。
【００３２】
［原料］
・２−メチルイミダゾール（商品名：２ＭＺ、四国化成工業社製）
・イミダゾール（東京化成社製）
・２−エチル４−メチルイミダゾール（商品名：２Ｅ４ＭＺ、四国化成工業社製）
・５０％ジメチルアミン水溶液（商品名：ジメチルアミン、三菱レイヨン社製）
・エピクロロヒドリン（商品名：エピクロルヒドリン、ダイソー社製）
・ジメチルアミンとエピクロロヒドリンの反応物（特公平３−５６１１８号公報記載の合成方法に従って調製した）
・塩化セチルピリジニウム（東京化成社製）
【００３３】
［省略記号］
ＢＯＤ（Ｂｉｏｃｈｅｍｉｃａｌ
Ｏｘｙｇｅｎ  Ｄｅｍａｎｄ）：生物化学的酸素要求量
ＣＯＤ（Ｃｈｅｍｉｃａｌ
Ｏｘｙｇｅｎ  Ｄｅｍａｎｄ）：化学的酸素要求量
ＭＬＳＳ（Ｍｉｘｅｄ
Ｌｉｑｕｏｒ  Ｓｕｓｐｅｎｄｅｄ  Ｓｏｌｉｄｓ）：ばっ気槽内の活性汚泥濃度
ＳＶＩ（Ｓｌｕｄｇｅ
Ｖｏｌｕｍｅ  Ｉｎｄｅｘ）：活性汚泥１ｇあたりの容積（ｍｌ）
ＳＶ３０（Ｓｌｕｄｇｅ  Ｖｏｌｕｍｅ）：１ｌの活性汚泥を３０分間静置させたときの沈降率（％）
【００３４】
〔実施例１〕
＜殺菌剤Ａ〜Ｌの調製＞
攪拌装置と還流装置を備えた５００ｍｌの反応フラスコに、表１に記載した仕込み量に従って、イミダゾール化合物、５０％ジメチルアミン水溶液および水を仕込み、反応容器内の温度を７０℃に温調した後、エピクロルヒドリンを２０分間かけて滴下した。
滴下開始後まもなく、反応液の温度が還流温度（１０２〜１０３℃）まで上昇し、滴下終了後も反応液を加熱して環流温度に維持しながら、攪拌を２時間継続し殺菌剤を調製した。
得られた殺菌剤は、表１に示したとおりであり、何れの殺菌剤も重合物の含有量が５０重量％の水溶液であった。なお、これらの殺菌剤について、コロイド滴定法により荷電量の測定を行ったところ、陽イオン性を有するものと認められた。
また、殺菌剤ＡのＩＲスペクトル及びＮＭＲスペクトルを測定したところ、表２に示したとおりであり、重合体中にイミダゾリウムカチオンとアンモニウムカチオンの存在が認められた。
【００３５】
【表１】
2004217565.tif 000003
【００３６】
【表２】
2004217565.tif 000004
【００３７】
〔実施例２〕
バルキングが発生している某廃水処理場の活性汚泥１００ｍｌを３００ｍｌの三角フラスコに入れ、実施例１で調製した殺菌剤Ａ〜Ｌをそれぞれ１００ｍｇ／Ｌの濃度になるように添加し、振盪機にて１２時間攪拌した。
攪拌終了後に活性汚泥中の糸状性細菌を観察すると、タイプ０２１Ｎ、タイプ００４１、タイプ１８５４、タイプ１８６３等の殆ど全ての糸状性細菌について、それらの鞘中の細胞が収縮し折れ曲がったり、切断している様子が見られた。
これらの試験結果は表３に示したとおりであり、本発明の殺菌剤は糸状性細菌に対して、優れた殺菌効果を有しているものと認められる。
【００３８】
〔比較例１〜３〕
殺菌剤として、ジメチルアミンとエピクロロヒドリンの反応物および塩化セチルピリジニウムを用いた場合と、殺菌剤を使用しない場合について、実施例２と同様にして糸状性細菌に対する殺菌効果を評価した。
これらの試験結果は、表３に示したとおりであり、ジメチルアミンとエピクロロヒドリンの反応物は、糸状性細菌に対して十分な殺菌効果を発揮せず、また塩化セチルピリジニウムについては、殺菌効果が認められなかった。
【００３９】
【表３】
2004217565.tif 000005
【００４０】
〔実施例３〕
スカムが発生している某乳製品製造工場の活性汚泥（ＭＬＳＳ値２４００ｍｇ／Ｌ、ＳＶＩ値３８０）１００ｍｌを３００ｍｌの三角フラスコに入れ、実施例１で調製した殺菌剤Ａ〜Ｌをそれぞれ４００ｍｇ／Ｌの濃度になるように添加し、振盪機にて１２時間攪拌した。
攪拌終了後に、活性汚泥中の放線菌を観察すると、鞘中の細胞が収縮したり切断している様子が見られた。
これらの試験結果は表４に示したとおりであり、本発明の殺菌剤は放線菌に対して、優れた殺菌効果を有しているものと認められる。
【００４１】
〔比較例４〜５〕
殺菌剤として、塩化セチルピリジニウムを用いた場合と、殺菌剤を使用しない場合について、実施例３と同様にして放線菌に対する殺菌効果を評価した。
これらの試験結果は表４に示したとおりであり、塩化セチルピリジニウムは放線菌に対する殺菌効果が認められなかった。
【００４２】
【表４】
2004217565.tif 000006
【００４３】
〔実施例４〕
曝気槽容積１０Ｌ、沈澱槽容積２Ｌの好気性生物処理装置にバルキングが発生している某下水処理場の活性汚泥を入れ、同処理場の流入原水（ＢＯＤ：１４０ｍｇ／Ｌ）を用いて、容積負荷０．３ｋｇＢＯＤ／ｍ３・日、汚泥返送率６０％の連続処理系を設定し、１０日間連続運転を行った。１０日後の活性汚泥の状態は、ＭＬＳＳ値４０００ｍｇ／Ｌ、ＳＶＩ値２４５であり、タイプ０２１Ｎの糸状性細菌が優占していた。
実施例１において調製した１．２ｇの殺菌剤Ａを水で５倍に希釈し、この生物処理装置の曝気槽に添加した。添加終了から２４時間後に活性汚泥中の糸状性細菌を観察すると、鞘中の細胞が収縮し一部の細胞は鞘から脱落している様子が見られ、糸状性細菌に対する殺菌効果が確認できた。この時のＭＬＳＳ値は４０００ｍｇ／Ｌ、ＳＶＩ値は１７０であった。
また、３日後の活性汚泥の様子を観察すると、糸状性細菌は活性汚泥フロックから遊離し、糸状性細菌の鞘が各所で切断されていた。この時のＭＬＳＳ値は４３００ｍｇ／Ｌであり殺菌剤添加前と大差なく、またＳＶＩ値は１２０まで低下しており、バルキングが解消され沈降性の良い活性汚泥になっていた。
これらの試験結果から、本発明の殺菌剤は糸状性細菌を殺滅する効果に優れており、活性汚泥中の有用な微生物に悪影響を与えること無く、活性汚泥の沈降性を改善しバルキングを解消することができたものと認められる。
【００４４】
〔実施例５〕
曝気槽容積が５００ｍ３、沈澱槽容積が１２０ｍ３である、平均ＢＯＤ３００ｍｇ／Ｌの廃水を容積負荷０．１５ｋｇＢＯＤ／ｍ３・日で処理をしている某食品工場の廃水処理場の処理装置を使用して現場試験を行った。
この処理装置の活性汚泥は、タイプ０２１Ｎ及びタイプ１８５４の糸状性細菌によるバルキングが発生しており、ＭＬＳＳ値は４５００ｍｇ／Ｌ、ＳＶ３０は１００％、ＳＶＩ値は２２２、放流水ＣＯＤが２７ｍｇ／Ｌであり、活性汚泥の沈降性不良が常時発生していた。
実施例１と同様な反応条件で量産した６０ｋｇの殺菌剤Ａを、曝気槽に添加した。添加終了１日後に活性汚泥中の糸状性細菌を観察すると、タイプ０２１Ｎおよびタイプ１８５４の何れの糸状性細菌も鞘中の細胞が収縮し、一部の細胞は鞘から脱落して鞘の切断された様子が見られた。
更に５日後に活性汚泥の状態を観察すると、糸状性細菌は殆ど見られず、ＭＬＳＳ値は４６００ｍｇ／Ｌとほぼ変化なく、ＳＶ３０は８０％、ＳＶＩ値は１７３となり、活性汚泥の沈降性は著しく改善されバルキングも解消した。更に３０日後には、ＭＬＳＳ値は４３００ｍｇ／Ｌ、ＳＶ３０は６０％、ＳＶＩ値は１３９となり、活性汚泥の良好な沈降性を保持することができた。
殺菌剤を投入して５日後以降の放流水の水質は、ＣＯＤ１０ｍｇ／Ｌ以下を保っており、本発明の殺菌剤による放流水への悪影響は全く認められなかった。
【００４５】
〔実施例６〕
曝気槽容積が２４０ｍ３、沈澱槽容積が４０ｍ３である、平均ＢＯＤが４５０ｍｇ／Ｌの廃水を容積負荷０．４１ｋｇＢＯＤ／ｍ３・日で処理をしている某食品加工工場の廃水処理場の処理装置を使用して現場試験を行った。
この処理装置の活性汚泥は、タイプ０２１Ｎ細菌が異常に繁殖しておりバルキングが発生していた。ＭＬＳＳ値は４９００ｍｇ／Ｌ、ＳＶ３０は１００％、ＳＶＩ値は２０４、放流水のＣＯＤが４１ｍｇ／Ｌであり、活性汚泥が沈降性不良のため、汚泥の流失が常時発生していた。
実施例１と同様な反応条件で量産した４０ｋｇの殺菌剤Ｂを曝気槽に添加した。添加終了１日後に活性汚泥中の糸状性細菌を観察すると、鞘中の細胞が収縮し、一部の細胞は鞘から脱落して鞘の切断された様子が見られた。また放流水が若干白濁したので、ポリアクリルアミド系凝集沈降剤（パワーフロックＭ−１２７、四国化成工業社製）を投入したところ、白濁を抑制することができた。
更に７日後に活性汚泥の状態を観察すると、糸状性細菌はほとんど観察されず、この時のＭＬＳＳ値は５７００ｍｇ／Ｌ、ＳＶ３０は８８％、ＳＶＩ値は１５４となつており、活性汚泥の沈降性は著しく改善されバルキングも解消した。その後３ケ月間に渡って活性汚泥の良好な沈降性を保持することができた。
【００４６】
〔実施例７〕
曝気槽容積が３００ｍ３、沈澱槽容積が１５０ｍ３である、平均ＢＯＤ６４０ｍｇ／Ｌの廃水を容積負荷０．３０ｋｇＢＯＤ／ｍ３・日で処理している某住宅団地の下水処理装置を使用して現場試験を行った。
この廃水処理装置の活性汚泥は、放線菌が優占化しているため処理槽水面には発泡現象とスカムの発生があり、これらの泡やスカムが放流水と共に系外に排出されていたため、放流水の水質が悪化して悪臭もひどかった。この活性汚泥のＭＬＳＳ値は１４００ｍｇ／Ｌ、ＳＶＩ値は７１４、放流水のＣＯＤは９０ｍｇ／Ｌであった。
実施例１と同様な反応条件で量産した１６０ｋｇの殺菌剤Ａを曝気槽内に投入し、添加後１日経過して放線菌の様子を観察すると、放線菌は鞘から脱落していた。なお、放流水に若干の白濁が見られた。
殺菌剤を添加して１日経過後から曝気槽水面のスカムが減少し、１４日後には曝気槽内の水面が見えはじめ、放流水も良好な状態となった。この時のＭＬＳＳ値は２２００ｍｇ／Ｌ、ＳＶＩ値は２７０、放流水のＣＯＤは４０ｍｇ／Ｌとなり、活性汚泥の沈降性が改善され、曝気槽水面のスカムも減少して、処理水の水質が改善されているものと認められた。
更に３０日後には、曝気槽水面のスカムは消滅した。この時のＭＬＳＳ値は３０００ｍｇ／Ｌ、ＳＶＩ値は１５０、放流水のＣＯＤは１８ｍｇ／Ｌであった。
【００４７】
【発明の効果】
本発明の殺菌剤は、廃水処理装置の活性汚泥中の有用な微生物に悪影響を与えることなく、バルキングやスカムの発生原因である種々のタイプの糸状性細菌及び放線菌に対する殺菌効果に優れ、バルキングやスカムを効果的に解消することができる。また、本発明の殺菌剤は活性汚泥によく吸着され、長期に渡って殺菌効果を維持することができるので、その産業上の利用効果は多大である。